(57)【要約】【課題】凹部内に装着された電池を容易かつ確実に規制する。【解決手段】円板状の電池８が装着される凹部１７と、凹部１７内に装着された電池８に当接されて凹部１７を閉塞する蓋体１２と、凹部１７内の底面上に設けられ凹部１７内に装着される電池８によって変形されて凹部１７内の電池８の位置を規制する位置規制部材１３とを備える。【選択図】    図４
2004227791.tif 000002
【特許請求の範囲】
【請求項１】
電池が装着される凹部と、
前記凹部内に装着された前記電池に当接されて前記凹部を閉塞する蓋体と、
前記凹部内の底面上に設けられ、前記凹部内に装着される前記電池によって変形されて前記凹部内の前記電池の位置を規制する位置規制部材とを備えることを特徴とする電池装着構造。
【請求項２】
前記位置規制部材は、前記電池によって変形された変形部分が、前記電池の外周面と前記凹部の内周面との間隙に充填される請求項１に記載の電池装着構造。
【請求項３】
前記凹部内には、前記電池の各電極に当接される端子がそれぞれ設けられ、
前記位置規制部材には、前記端子を避けるための切り欠きが設けられている請求項１または２に記載の電池装着構造。
【請求項４】
前記位置規制部材には、袋の内部に気体が封入されてなる請求項１ないし３のいずれか１項に記載の電池装着構造。
【請求項５】
前記位置規制部材は、ゲル状材からなる請求項１ないし３のいずれか１項に記載の電池装着構造。
【請求項６】
前記凹部内には、複数の前記位置規制部材がそれぞれ配設されている請求項１ないし５のいずれか１項に記載の電池装着構造。
【請求項７】
請求項１ないし６のいずれか１項に記載の電池装着構造を備える電子機器。
【請求項８】
請求項１ないし６のいずれか１項に記載の電池装着構造と、
時間を表示する表示手段とを備える時計。
【請求項９】
磁気を検出する磁気検出手段を備える請求項８に記載の時計。
【請求項１０】
電池が装着される凹部と、前記凹部を閉塞する蓋体と、前記凹部内の底面上に設けられ前記凹部内に装着される前記電池によって変形されて前記凹部内の前記電池の位置を規制する位置規制部材とを備える電池装着部に前記電池を装着する電池装着方法であって、
前記蓋体は、前記凹部を閉塞するときに前記凹部内の前記電池に当接され、前記電池を介して前記位置規制部材を変形させて、前記位置規制部材が変形された変形部分によって前記電池が保持されて、前記凹部内の前記電池の位置を規制することを特徴とする電池装着方法。
【請求項１１】
前記位置規制部材は、前記電池によって変形された変形部分が、前記電池の外周面と前記凹部の内周面との間隙に充填される請求項１０に記載の電池装着方法。
【発明の詳細な説明】
【０００１】
【発明の属する技術分野】
本発明は、凹部内に電池を装着するための電池装着構造、およびこの電池装着構造を備える電子機器、時計、電池装着方法に関する。
【０００２】
【従来の技術】
従来、携帯型の電子機器としては、例えば、デジタル表示型の腕時計や、卓上電子計算機等の携帯型のコンピュータ等が知られている。この種の電子機器は、電力供給源として円板状、いわゆるボタン型の電池が用いられており、この電池が着脱可能に装着される電池装着部を備えている。
【０００３】
そして、従来の腕時計が備える電池装着部としては、装着された電池を電池押さえ部材によって固定する電池装着構造が採用されている。
【０００４】
例えば図５および図６に示すように、従来の腕時計が備える電池装着部１０４は、電池１０８が装着される凹部１１７を有する電池装着台１１１と、電池装着台１１１の凹部１１７を閉塞するための蓋体１１２と、電池装着部１０４に装着された電池１０８を押さえるための電池押さえ部材１１３と、電池１０８の各電極に当接される正極側端子１１４および負極側端子１１５とを有している。
【０００５】
電池装着台１１１には、電池押さえ部材１１３の両端が係合される係合突起１１８がそれぞれ設けられている。また、凹部１１７は、内径が、装着される電池１０８の外径よりやや大きく形成されており、内周面と電池１０８の外周面との間に、所定の間隙ｄ２が確保されている。
【０００６】
電池押さえ部材１１３は、例えば、金属板によって形成されており、両端に、電池装着台１１１の係合突起１１８に係合される係合穴（不図示）がそれぞれ設けられている。
【０００７】
また、凹部１１７内には、底面に負極側端子１１５が配置されており、内周面に正極側端子１１４が配置されている。これら正極側端子１１４および負極側端子１１５は、金属板によって弾性変位可能に形成されており、図示しないムーブメント部に電気的にそれぞれ接続されている。
【０００８】
以上のように構成された電池装着部１０４は、凹部１１７内に電池が装着された際、電池押さえ部材１１３が電池装着台１１１の係合突起１１８に係合されて、電池押さえ部材１１３が凹部１１７の開口縁に跨って取り付けられることによって、凹部１１７内の電池が固定されている。
【０００９】
また、従来の腕時計が備える他の電池装着部としては、電池を交換する際に電池押さえ部材を取り外すことなく電池を着脱可能にする構成が開示されている（例えば、特許文献１参照。）。
【００１０】
【特許文献１】
実開昭和５３−１２１８７４号公報（５頁、図５）
【００１１】
【発明が解決しようとする課題】
ところで、従来の腕時計には、地磁気を検出するための磁気センサを備えており、例えば方位計（磁気コンパス）としても機能するものがある。この種の腕時計では、磁気センサが、電池装着部内の電池が発生する磁界によって検出精度に影響が及ぼされるため、電池装着部に電池が装着された後に、電池が固定された状態で電池の磁界による影響を補正することによって、検出精度が確保されている。
【００１２】
しかしながら、従来の腕時計は、図５および図６に示したように、電池装着部１０４の凹部１１７内に電池が装着された状態で、電池１０８の外周面と凹部１１７の内周面との間に間隙ｄ２が存在しているため、電池装着部１０４に加わった振動や衝撃等で、凹部１１７内の電池１０８が外周方向に沿って回転してしまう場合がある。このような場合には、電池１０８による磁界が変化してしまい、電池１０８による磁界の変化が、磁気センサによる検出精度に悪影響が及ぼされる不都合が生じる。
【００１３】
このため、従来の腕時計では、凹部内で電池が外周方向に沿って回転することを防止するために、電池に回転規制用の接着テープが貼付されている。この回転規制用の接着テープは、凹部内に装着された電池の主面と凹部の開口縁部とに跨って貼付されることによって、電池の回転を規制している。
【００１４】
一般に、腕時計では、一次電池が用いられており、電池が消耗した際に、電池の交換が行われている。したがって、従来の腕時計では、電池を交換する際、回転規制用の接着テープを剥がし、電池を装着した後に回転規制用の接着テープを貼り付けることになる。このため、従来の腕時計は、回転規制用の接着テープの取り外しが煩わしく、ユーザによる電池の交換作業が煩雑になるという不都合があった。
【００１５】
また、従来の腕時計は、電池を交換する際に、ユーザが回転規制用の接着テープの貼付を忘れた場合、電池の回転が確実に規制されないため、上述した磁気センサの検出精度に悪影響が及ぼされるという問題があった。
【００１６】
そこで、本発明は、凹部内に装着された電池を、容易かつ確実に規制することができる電池装着構造、および電子機器、時計、電池装着方法を提供することを目的とする。
【００１７】
【課題を解決するための手段】
上述した目的を達成するため、本発明に係る電池装着構造は、電池が装着される凹部と、凹部内に装着された電池に当接されて凹部を閉塞する蓋体と、凹部内の底面上に設けられ凹部内に装着される電池によって変形されて凹部内の電池の位置を規制する位置規制部材とを備える。
【００１８】
以上のように構成した本発明に係る電池装着構造によれば、凹部内に電池を装着する際、凹部を閉塞する蓋体が凹部内の電池に当接され、電池によって位置規制部材が押圧されて変形される。凹部内に装着される電池は、位置規制部材が変形された変形部分によって電池の外周部が保持されて、凹部内の位置が規制される。
【００１９】
また、本発明に係る電池装着構造が備える位置規制部材は、電池によって変形された変形部分が、電池の外周面と凹部の内周面との間隙に充填されることが好ましい。これによって、凹部内の電池が外周方向に沿って回転することが確実に規制されるとともに、凹部内で電池が遊動することが確実に規制される。
【００２０】
また、本発明に係る電子機器は、上述した本発明の電池装着構造を備える。
【００２１】
また、本発明に係る時計は、上述した本発明の電池装着構造と、時間を表示する表示手段とを備える。
【００２２】
また、本発明に係る電子機器は、磁気を検出する磁気検出手段を備える。この電子機器は、位置規制部材によって凹部内の電池の位置が確実に規制されるため、電池による磁界によって磁気検出手段の検出精度が変化することが防止される。
【００２３】
また、本発明に係る電池装着方法は、電池が装着される凹部と、凹部を閉塞する蓋体と、凹部内の底面上に設けられ凹部内に装着される電池によって変形されて凹部内の電池の位置を規制する位置規制部材とを備える電池装着部に電池を装着する。そして、蓋体は、凹部を閉塞するときに凹部内の電池に当接され、電池を介して位置規制部材を変形させて、位置規制部材が変形された変形部分によって電池が保持されて、凹部内の電池の位置を規制する。
【００２４】
【発明の実施の形態】
以下、本発明に係る具体的な実施形態の腕時計について、図面を参照して説明する。
【００２５】
図１および図２に示すように、本実施形態の腕時計は、デジタル表示型の腕時計であって、液晶表示板７を有するムーブメント部３と、このムーブメント部３を駆動するための電池８が着脱可能に装着される電池装着部４と、ムーブメント部３および電池装着部４を収容するケース５とを備えている。
【００２６】
ムーブメント部３は、時間を表示する液晶表示板７と、この液晶表示板７を駆動制御する制御回路が設けられた回路基板９とを有している。また、ムーブメント部３は、図示しないが、地磁気を検出するための磁気センサを有しており、この磁気センサが検出する検出出力によって方位計としても機能する。
【００２７】
電池装着部４は、電池８が装着される凹部１７を有する電池装着台１１と、電池装着台１１の凹部１７を閉塞するための蓋体１２と、電池装着部４に装着された電池８の位置を規制するための位置規制部材１３と、電池８の各電極に当接される正極側端子１４および負極側端子１５とを有している。
【００２８】
電池装着部４に装着される電池８としては、例えば、ボタン型やコイン型のリチウム電池等が用いられている。
【００２９】
電池装着台１１は、凹部１７を外方側に臨ませるようにムーブメント部３の背面側に配置されている。凹部１７は、内径が、装着される電池８の外径より大きく形成されており、内周面と電池８の外周面との間に、位置規制部材１３の後述する変形部分が容易に進入可能な所定の間隙ｄ１が確保されている。また、凹部１７の内周面上には、電池８を凹部１７内の所定の位置に位置決めするための位置決め用突部１９ａ，１９ｂ，１９ｃが、電池８の径方向に突出されてそれぞれ設けられている。
【００３０】
蓋体１２は、凹部１７の開口を閉塞するに足る円板状に形成され、ケース５に係合される円環状の係合部材２１が一体に設けられている。
【００３１】
位置規制部材１３は、例えば、可撓性を有する塩化ビニール等からなる袋内に、空気等の気体や液体等が封入されて、押圧力によって容易に変形可能に形成されている。なお、位置規制部材１３としては、凹部１７内に装着される電池８による押圧力によって容易に変形可能であれば、例えば、ゲル状材によって形成された構成が用いられてもよい。
【００３２】
位置規制部材１３は、凹部１７内の底面上に設けられており、正極側端子１４および負極側端子１５に当接することを避けるための切り欠き２３が設けられている。また、位置規制部材１３は、凹部１７内に装着された電池８によって変形された変形部分が、電池８の外周面に沿って凹部１７の開口側から突出されない所定の体積に設定されている。そして、位置規制部材１３は、凹部１７内に装着される電池８によって変形された変形部分が、凹部１７の内周面と電池８の外周面との間隙ｄ１に沿って充填される。
【００３３】
また、凹部１７内には、底面に負極側端子１５が配置されており、内周面に正極側端子１４が配置されている。これら正極側端子１４および負極側端子１５は、金属板によって弾性変位可能に形成されており、ムーブメント部３の回路基板９に電気的にそれぞれ接続されている。
【００３４】
ケース５は、ムーブメント部３の液晶表示板７を外部の臨ませる開口２８を有するケース本体２５と、ケース本体２５の開口２８を閉塞するための風防２６と、ケース本体２５を閉塞するための裏蓋２７とを有している。風防２６は、例えば透明なガラス材によって形成されており、ムーブメント部３の液晶表示板７が透視可能にされている。裏蓋２７には、電池装着部４を外部に臨ませる開口２９が設けられており、この開口２８の縁部に、蓋体１２の係合部材２１が係合される。
【００３５】
なお、上述した位置規制部材１３は、凹部１７内の底面上に、複数に分割されて配設されてもよいことは勿論である。
【００３６】
以上のように構成された腕時計について、電池装着部４内に電池８が装着された状態を、図面を参照して説明する。
【００３７】
まず、電池装着部４は、凹部１７内に電池８が装着されるとき、各位置決め突部１９ａ，１９ｂ，１９ｃに電池８の外周面が当接することよって、電池８が凹部１７内の所定の装着位置に位置決めされ、電池８の端面が位置規制部材１３に当接される。
【００３８】
続いて、電池装着部４は、凹部１７の開口を閉塞する蓋体１２が、裏蓋２７の開口２９に取り付けられることによって、蓋体１２の内面が電池８の端面に当接されるため、電池８が凹部１７の底面側に押し込められて、電池８の端面によって位置規制部材１３が押圧される。そして、図３および図４に示すように、位置規制部材１３は、電池８の端面によって変形されて、変形された変形部分が、電池８の外周面と凹部１７の内周面との間隙ｄ１に沿って回り込んで充填される。
【００３９】
位置規制部材１３は、凹部１７の開口側から突出されることなく間隙ｄ１に充填されることで、電池８の端面と外周面とに跨って電池８を保持するため、凹部１７内で電池８が遊動することが確実に規制されるとともに、凹部１７内の電池８が外周方向に回転することが確実に規制される。また、位置規制部材１３は、切り欠き２３が設けられているため、電池８によって変形された際に、電池８と正極側端子１４および各負極側端子１５との電気的な接続状態が妨げられることなく、電池８の良好な接続状態が確保されている。
【００４０】
次に、電池装着部４は、凹部１７内から電池８が取り外されるとき、裏蓋２７から蓋体１２が取り外されることで、電池８による位置規制部材１３の押圧状態が解除されるため、電池８が凹部１７内で僅かに押し上げられ、凹部１７内から電池８が容易に取り外される。そして、位置規制部材１３は、凹部１７内から電池８が取り外されることで、電池８による変形が解除されて、凹部１７の底面上に位置される状態に復帰する。
【００４１】
上述したように、腕時計は、電池装着部４の凹部１７内に、電池８によって変形される位置規制部材１３が設けられたことによって、位置規制部材１３が変形された変形部分が、電池８の外周面と凹部１７の内周面との間隙ｄ１に充填されるため、位置規制部材１３によって凹部１７内の電池８の位置を容易かつ確実に規制することができる。
【００４２】
したがって、この腕時計によれば、凹部１７内の電池８が外周面に沿って回転することが確実に規制されることができる。このため、腕時計によれば、電池８の磁界の変動によって、磁気センサによる検出精度に悪影響が及ぼされることなく、磁気センサの検出精度を高精度に確保することができる。
【００４３】
同様に、腕時計によれば、位置規制部材１３が変形した変形部分が、電池８の外周面と凹部１７の内周面との間隙ｄ１に充填されるため、凹部１７内の電池８が径方向に遊動することを確実に規制することができる。
【００４４】
そして、この腕時計によれば、凹部１７内に電池８を装着する装着操作のみで、装着された電池８が確実に固定されるため、従来のように電池押さえ部材や位置規制用の接着テープを用いることが不要になり、電池交換時の交換作業を容易に行うことができる。
【００４５】
なお、本発明は、上述した実施形態の腕時計として適用されたが、例えば、ストップウオッチ等の携帯型の時計や、ＰＤＡ（Ｐｅｒｓｏｎａｌ  Ｄａｔａ  Ａｓｓｉｓｔａｎｔ）等の携帯型の電子計算機等に適用されてもよいことは勿論である。
【００４６】
【発明の効果】
上述したように本発明によれば、電池が装着される凹部内の底面上に設けられ凹部内に装着される電池によって変形されて凹部内の電池の位置を規制する位置規制部材を備えることによって、位置規制部材が変形された変形部分に電池の外周部が保持されて、凹部内の電池の位置を規制することができる。
【図面の簡単な説明】
【図１】本発明に係る腕時計が備える電池装着部を裏蓋側から示す透視平面図である。
【図２】前記電池装着部を示す縦断面図である。
【図３】前記電池装着部に電池が装着された状態を示す透視平面図である。
【図４】前記電池装着部に電池が装着された状態を示す縦断面図である。
【図５】従来の腕時計が備える電池装着部を裏蓋側から示す透視平面図である。
【図６】従来の電池装着部を示す縦断面図である。
【符号の説明】
３  ムーブメント部
４  電池装着部
５  ケース
７  液晶表示板
８  電池
１１  電池装着台
１２  蓋体
１３  位置規制部材
１４  正極側端子
１５  負極側端子
１７  凹部
１９ａ，１９ｂ，１９ｃ  位置決め突部
２３  切り欠き
２７  裏蓋
ｄ１  間隙
【図１】
2004227791.tif 000003
【図２】
2004227791.tif 000004
【図３】
2004227791.tif 000005
【図４】
2004227791.tif 000006
【図５】
2004227791.tif 000007
【図６】
2004227791.tif 000008